Podtech/llm-jp-corpus-v4-ja_patent huggingface dataset:
(57)【要約】【課題】スポーツ等々などのカメラ撮影時の長収点距離レンズ使用時、従来の一脚や三脚による撮影では、被写体の主に左右移動に対して、カメラのボディ自体や撮影者が大きく動いてしまう。【解決手段】長距離レンズで撮影する時に、レンズを軸としたカメラのボディ自体の移動を、軸をカメラ側にずらすことによって、カメラや撮影者自体の動きを少なくして、撮影を簡易にすることを可能とする台座。また上下に開く蝶つがいも使用する事によって、被写体の上下の運動にも、撮影を簡易に行う事が可能になる。【選択図】図２
2014122928.tif 000002
【特許請求の範囲】
【請求項１】
蝶番付きの長身の台座。及び、一体型の一脚、三脚。
【請求項２】
撮影場所の移動などの為の、持ち運び時の為の安定ストッパー。
【発明の詳細な説明】
【技術分野】
【０００１】本考案は、一脚や三脚を使用して、一眼レフカメラで大きく重さのある長焦点レンズを取り付けた時の撮影を、より簡易に行うための雲台に関するものである。
【背景技術】
【０００２】従来の一脚に、長焦点レンズ（主に４００ｍｍｆ２．８など）の台座に直接取り付けての撮影は、被写体の激しい動きを捉える為には熟練した技術をもってしても容易には行かない。
この雲台を使用する事により、被写体追従能力のアップが期待される。
【先行技術文献】
【特許文献】
【０００３】
【特許文献１】
【非特許文献】
【０００４】
【非特許文献１】
【発明の概要】
【発明が解決しようとする課題】
【０００５】主に大きい長焦点距離レンズを使用して、激しい動きをする被写体を、一脚を使用して撮影する場合。
大きな長焦点レンズの台座をそのまま、一脚に取り付けて使用すると左右に大きく動く被写体に対して、カメラをその被写体とは反対に、移動させながら（左右にカメラ自体を被写体とは反対に振りながら）撮影する事になる。その際、一脚に付けた長焦点レンズを軸とした回転になり、撮影者の頭がレンズを軸として大きく動く事になり、撮影にかなりの慣れを要する。（図５）参照【０００６】このレンズを軸とした撮影を、この雲台によって軸をカメラ側と撮影者に近づける又は同じにする事によって撮影をより容易にする事が出来る。
【課題を解決するための手段】
【０００７】長焦点レンズに本発明の雲台を取り付け、長身の台座を一脚側に取り付ける。
又は一脚と一体型。特徴は、被写体の少しの上下の運動にも対応できる様に、レンズ側に上下に振れる蝶番を有する事である。
【発明の効果】
【０００８】撮影者は頭を左右に振るだけの状態で撮影する事になり。快適な撮影を可能とする。【０００９】  上下にレンズを振ることが可能になる蝶番を有するので、被写体がカメラに近づいてくる状態の撮影にも速やかに、カメラの上下方向を微調整する事が可能。より撮影意図に合ったフレーミングが可能となる。
【図面の簡単な説明】
【００１０】
【図１】本発明の外観図
【図２】本発明をカメラに付いた長焦点レンズを台座に付けて、一脚にも装着した時の外観図
【図３】使用方法
【図４】使用時の注意点
【図５】従来の撮影方法による、問題点
【図６】持ち運び時の安定させるストッパー。
【発明を実施するための形態】
【００１１】以下、本発明の実施の形態を図１〜図６に基づいて説明する。
（図１）の本発明のＡにレンズの台座をセットする。Ｂのねじ穴には、一脚か三脚を取り付けて使用する。Ｃは蝶番で上下に開閉するような仕組みである。
【００１２】（図２）のＤ（カメラ）とＥ（一脚又は三脚）の軸が同じとなる事によって、撮影を簡易に行う事を可能にする。
【００１３】（図３）一脚使用時の場合、実際に使用する時には、一脚は少し撮影者側に傾く。
左右に移動する被写体を捉える時にも、一脚は安定して回転する。ただし、次の（図６）に注意する。
【００１４】長焦点レンズ自体の台座リング（Ｆ）は自由にして（固定しないで）、カメラとレンズ自体を共に、わずかながら回転させて、被写体を追う。（図４）を参照。
【００１５】（図６）持ち運び時に蝶番が開かないように、簡単に付け外しのできるストッパーを設ける。（Ｉ）の部分に付ける。
【図１】
2014122928.tif 000003
【図２】
2014122928.tif 000004
【図３】
2014122928.tif 000005
【図４】
2014122928.tif 000006
【図５】
2014122928.tif 000007
【図６】
2014122928.tif 000008
【手続補正書】
【提出日】平成24年7月17日(2012.7.17)
【手続補正１】
【補正対象書類名】特許請求の範囲
【補正対象項目名】全文
【補正方法】変更
【補正の内容】
【特許請求の範囲】
【請求項１】
激しい動きをする被写体に対して、カメラを上下に、左右に振り撮影しやすくする用途で使用する、長焦点レンズを有するカメラ本体を保持する蝶番付きの長身台座を備え、台座と一脚又は三脚との接続部をカメラ本体の下に配置する雲台。
【請求項２】
請求項１に記載された台座と前記レンズをつないでロックし、撮影終了後の場所の移動時に使用する安定ストッパー。
【手続補正書】
【提出日】平成24年9月17日(2012.9.17)
【手続補正１】
【補正対象書類名】特許請求の範囲
【補正対象項目名】全文
【補正方法】変更
【補正の内容】
【特許請求の範囲】
【請求項１】
カメラ本体に設ける長焦点レンズの台座を接続する第１の接続部を設けた短身台座と、一脚又は三脚を接続する第２の接続部を設けた長身台座を備え、前記短身台座を前期長身台座から上下に開閉する蝶番を有し、前期第２の接続部は前記カメラ本体の下に配属され、前記蝶番は前記長焦点レンズの下に配置され、前期長焦点レンズの光軸方向において、前記蝶番は前記第１の接続部及び前記第２の接続部より前方に配置されることを特徴とする雲台。
【請求項２】
請求項１に記載の雲台において、前期長焦点レンズの台座と前期長身台座を接続する、移動時に用いられるストッパーを備えることを特徴とする雲台。
【手続補正書】
【提出日】平成24年12月17日(2012.12.17)
【手続補正１】
【補正対象書類名】特許請求の範囲
【補正対象項目名】全文
【補正方法】変更
【補正の内容】
【特許請求の範囲】
【請求項１】
カメラ本体に設ける長焦点レンズの台座を接続する第１の接続部を設けた短身台座と、一脚又は三脚を接続する第２の接続部を設けた長身台座を備え、前記短身台座を前記長身台座から上下に開閉する蝶番を有し、前記第２の接続部は前記カメラ本体の下に配属され、前記蝶番は前記長焦点レンズの下に配置され、前記長焦点レンズの光軸方向において、前記蝶番は前記第１の接続部及び前記第２の接続部より前方に配置されることを特徴とする雲台。
【請求項２】
請求項１に記載の雲台において、前記長焦点レンズの台座と前記長身台座を接続する、移動時に用いられるストッパーを備えることを特徴とする雲台。
(57)【要約】      （修正有）【課題】従来の約２倍の面積の融雪を可能にする方法の提供。【解決手段】融雪用水の散水範囲を電磁弁とタイマーなどを用いその範囲や時間を変える事で、雪を融かす為の水量はある一定量散水しないと充分な融雪効果を得る事が出来ないが、常時散水する必要ははなく、現在の１／２で融雪効果を得る事が出来る。５分間隔で出水し、止水の分を他の面積に回すか、休止する事が可能になる。井戸が渇水状態でも、一定時間揚水を止める事で蓄水し、常時稼働している場合と違い、空気が混入せず揚水出来る。【選択図】図１
2014122529.tif 000002
【特許請求の範囲】
【請求項１】
融雪用水の散水範囲を電磁弁とタイマーなどを用いその範囲や時間を変える事で、従来の約２倍の面積の融雪を、可能にする。若しくは消費電力、揚水量が１／２に出来る。
【請求項２】
通常渇水状態の井戸でも一定時間給水を休む事で、井戸の水位が上昇し、空気の混入なく、揚水可能となる。
【発明の詳細な説明】
【発明の詳細な説明】
雪を融かす為の水量はある一定量散水しないと充分な融雪効果を得る事が出来ないが、常時散水する必要ははなく、おおむね現在の１／２で融雪効果を得る事が出来る。たとえば、５分間隔で出水し、止水の分を他の面積に回すか、休止する事が可能になる。
井戸が渇水状態でも、一定時間揚水を止める事で蓄水し、常時稼働している場合と違い、空気が混入せず揚水出来る。
よって、地下水使用量、電気料金がおよそ５０％節減可能となります。
【図面の簡単な説明】
【図１】  配管に電磁弁を設け５〜１５分間隔に交互に出水する事で従来の２倍の面積を消雪できる。
【符号の説明】  １  水中ポンプ
２  電磁開閉器
３  タイマー
４  電磁弁
５  散水ノズル
【図１】
2014122529.tif 000003
(57)【要約】【課題】捩じり切り型セパレーターの切除しようとする鋼線部分は、生コンと直に接するため打設時の生コンの打設高さ及び生コンの乾燥固化時の収縮による大きい圧縮力を受ける。  そのため該セパレーターの要切除部を捩じり切ろうとするときしばしば所定の切断位置では切れず、コンクリート内に残ってしまった部分の撤去に苦慮している。【解決手段】生コンの乾燥固化に伴う収縮による圧縮力が直接セパレーターの鋼線に及ばない様、該鋼線の要切除部を被覆する筒部を有するポリ製の型枠受具を提供する。【選択図】図１
2014122539.tif 000002
【特許請求の範囲】
【請求項１】
捩じり切り型セパレーターの要切除部を被覆する筒部とこれと一体で外周径が型枠に向かって小さくなる勾配を成す型枠受部を有する埋め込み式のポリ製型枠受具。
【請求項２】
捩じり切り型セパレーターの要切除部を被覆する筒部とこれと一体で外周径が型枠に向かって大きくなる勾配を成す型枠受部を有する撤去式のポリ製型枠受具。
【発明の詳細な説明】
【技術分野】
【０００１】本発明は、建築型枠用セパレーターの特に躯体鉄筋のかぶり部分を捩じり切って除去する型のセパレーターに関する。
【背景技術】
【０００２】  従前、上述のかぶり部分を捩じり切って除去する型のセパレーターは、型枠を内側から締め付けるワッシャーと該セパレーターを捩じり切るくびれ部との間はむき出しの鋼線であり、即ちセパレーターの要切除部分が打設された生コンと直に接している。
【発明の概要】
【発明が解決しようとする課題】
【０００３】  上述のごとくセパレーターの切除しようとする鋼線部分は、生コンと直に接するため打設時の生コンの打設高さ及び生コンの乾燥固化時の収縮による大きい圧縮力を受ける。該圧縮力は生コン上端面からの深さが深いほど即ち型枠の底部に近いほど大きく、それは鋼線を捩じり切ろうとするとき大きい摩擦力となって現れ、そのため該セパレーターは型枠の下部においてしばしば所定の切断位置では切れず、コンクリート外面に出ている該セパレーターのネジ加工部の根元から切れてしまうことがあり、コンクリート内に残った部分の撤去に苦慮している。
【課題を解決するための手段】
【０００４】  本発明者は鋭意研究した結果、捩じり切り型セパレーターの要切除部分の鋼線に加わる上述のごときの摩擦力を緩和できるポリ製型枠受具を開発することに成功した。
前述の圧縮力のうち生コンの打設高さによるものは要切除部分の鋼線の表面積が小さいので該鋼線を捩じり切るのにさほど影響しないが、生コンの乾燥固化時の収縮による圧縮力はセパレータの鋼線が事実上剛体に近いので該収縮量を吸収所謂逃げがないため非常に大きく、それ故鋼線の捩じりに対する固化コンクリートの摩擦力も非常に大きくなる。
したがって該摩擦力を低減させるためには要切除部分の鋼線とコンクリートとの間に生コンの収縮量を吸収するに足る材料、例えばポリ製の収縮緩衝材を設けてやればよいことが判明した。【０００５】  以下、本発明を図に従い、詳しく説明する。図１（ａ）及び（ｂ）は本考案によるポリ製型枠受具のイメージ図である。ここで（ａ）は該受具がコンクリート内に埋め込まれる場合であり、したがって型枠と接する受部１の外周面の勾配は外側に向かって小さくなっている。符号２は受部１と一体の筒部でその長さは躯体鉄筋のかぶり長即ちセパレータの切除部まで及んでいる。
また（ｂ）は該受具を型枠解体後のコンクリートから撤去する場合であり、受部１の外周面の勾配は（ａ）とは逆に外側に向かって大きくなる抜き勾配がついている。こちらの受具はポリ材質など、コンクリート以外の異物が躯体コンクリートに埋設されることを許容しない顧客を対象として提供される。
図２（ｃ）は図１（ａ）を、また図２（ｄ）は図１（ｂ）をそれぞれ型枠にセットしたときの断面図である。ここで符号３は型枠のコンパネ、符号４は外部締め付け金物５を締め込んだとき本考案による受具が後退することなく所定のかぶりを保持するためのワッシャーでありセパレーター本体６に施された凸加工部７により移動が制限される。符号８はセパレーター本体６の要切除部即ちかぶり相当部の捩じり切りを容易にするための凹加工部である。
【発明の効果】
【０００６】  本発明によるポリ製受具を捩じり切り型セパレーターに組み込めば該セパレーターの要切除部分に加わる生コンの圧縮力、即ち捩じり切る際に該部分に生じる摩擦力を低減できるので生コンの打設高さに関係なく、換言すれば型枠の上部、下部に関係なく該セパレーターを所定の位置で簡単に切断でき、型枠の解体作業が著しく効率化される。
【図面の簡単な説明】
【０００７】
【図１】  （ａ）は埋め込み式、（ｂ）は撤去式のそれぞれポリ製型枠受具のイメージ図。
【図２】  （ｃ）は図１（ａ）、（ｄ）は図１（ｂ）をそれぞれ型枠にセットしたときの断面図。
【発明を実施するための形態】
【０００８】  本発明によるポリ製型枠受具はセパレーターの素材の鋼線がワッシャー４を組み込んで転造機で加工された後に該鋼線両端部のネジ加工部より若干競り気味に挿入される。この競り気味に挿入されることで運搬中や作業中に該受具がセパレーター本体から落下紛失しないよう考慮されている。
【産業上の利用可能性】
【０００９】  本発明によるポリ製型枠受具は上述埋め込み型、撤去型のいづれも従前のものに比べて筒部２の寸法が細いので材料コストが安く、安価で市場に供給できる。
また従前の捩じり切り型セパレーターに比べてかぶり部分の切断撤去が容易であるなど産業上の利用の可能性は極めて高いと考えられる。
【符号の説明】
【００１０】１，  型枠と接する受部
２，  受具の筒部
３，  型枠のコンパネ
４，  ワッシャー
５，  外部締め付け金具
６，  セパレーター本体の鋼線
７，  ワッシャーの移動制限凸部
８，  切断凹部
【図１】
2014122539.tif 000003
【図２】
2014122539.tif 000004
(57)【要約】【課題】堤防より高い洪水や津波が来ると、大きな被害が出る。【解決手段】第１の手段として、従来の堤防の上に、より大きな堤防を載せる。第２の手段として、海中に折りたたんだ堤防を必要な長さだけ、備えておき、地震発生後津波の到来と伴に、折りたたんだ堤防を広げ、津波を受けとめる。海水面の上昇に伴い、堤防の中に海水を流入させ貯めていき、仮に、高さ５０ｍの簡易堤防を作る。【選択図】図４
2014122532.tif 000002
【特許請求の範囲】
【請求項１】
第１の手段において、従来の堤防の上に挟むように載せ、従来の堤防の水圧を受ける壁面に、沿わせて、板状の部分を沈ませたもの。
【請求項２】
第１の手段において、空胴で仕切りが入っていて、水を流入させるための取水口とキャップを設けたもの。
【請求項３】
第１の手段において、簡易堤防同士の接合のため、接合部は、互い違いの溝を設ける。
【請求項４】
第２の手段において、海底に沈める漁礁部分であり、数ｍおきに、仕切りを入れ、人工灯と魚の出入口と通路を設けたもの。
【請求項５】
第２手段において、漁礁の上に固定する、折りたたんだ構造物で、穴の開いた仕切りを、１ｍごとに入れ、津波到来時は、折りたたんだ構造物上部の取水口より、海水を取り入れるもの。
【請求項６】
第２手段において、折りたたんだ構造物の上に固定する発泡スチロールは、津波が当たる海側部分が高くなっていると伴に、海中から浮上する時に、海水を構造物に流入させる取水口が天井に開いているもの。
【請求項７】
第２手段において、津波発生時、自動又は、手動の操作で、構造物の折りたたみ部分を解除するもの。
【発明の詳細な説明】
【発明の概要】
【発明が解決しようとする課題】
【０００１】従来の堤防より高い洪水や津波が来ると、大きな被害が出た。【０００２】本発明は、災害発生時、できるだけ大きな堤防を作ることで、洪水や津波に抵抗して、被害を小さくすることにある。
【課題を解決するための手段】
【０００３】第１の手段は、従来の堤防の上に、新たに簡易の堤防を載せることである。【０００４】簡易の堤防は、中が空胴であり、従来の堤防を挟むように載せ、水を受ける壁面に沿わせて、板状の脚の部分を沈ませ、水圧を受けさせ安定させる。【０００５】簡易堤防の中は、水圧に抵抗できるように、仕切りを入れるが、現場の状況によっては、中に水を入れ、おもりの役目をさせるので、そのための取水口をいくつも設け、キャップの取り外しができるようにする。【０００６】中が空胴なので、一人で、仮に４ｍ幅のものを並べるが、接合部は、互い違いの溝を設け水の流入を防ぐ。【０００７】第１の手段の作用は、脚の部分を長くして水圧を受けさせると伴に、簡易堤防の中に水を流入させて安定させる。【０００８】空胴で取り付けも簡単なので、少人数でも、長い範囲に設置できる。【０００９】第２の手段は、水面下５０ｍ位の海底に、仮に高さ５０ｍ、幅１００ｍ、奥行１００ｍの構造物を、海中に沈めておく。【００１０】数ｍおきに仕切りを入れ、人工灯と魚の出入口と通路を設け、通常は、漁礁として、魚を育む。【００１１】この漁礁の上に、折りたたんだ構造物を載せ、その上に厚さ５ｍの発泡スチロールを一体として漁礁上部に固定しておく。【００１２】地震発生時、構造物の折りたたみ部分を自動で、解除する。【００１３】予備として、有線又は無線による遠隔操作で、解除する。【００１４】折りたたんだ構造物は、開くと、仮に高さ５０ｍになり、その上の発泡スチロールの取水口と、津波を受ける海側の４５ｍから５０ｍまでの取水口から、水が流入するようにする。【００１５】中の仕切りは１ｍごとに設けるが、仕切りの側面と底面に穴を設け、水が下に降りていくようにする。【００１６】この漁礁から、発泡スチロールまでを簡易堤防とする。【００１７】第２手段の作用としては、発泡スチロールは常に、海水面に浮かぶので、津波で、水位が上がれば上がるほど、水中で、構造物は、縦に広がり、水の流入によって、膨らんでいく。【００１８】津波の力で、浮き上ったり、引きずられても、この簡易堤防をいくつか縦横に並べ、ロープで結ぶことで、より、抵抗力を増すことができる。【００１９】仕切りを入れることで、強度アップができる。【００２０】海の中なので、もっと大きい堤防も、作ることが可能。【００２１】堤防と漁礁で、一石二鳥、これに、スキューバ・ダイビングなど観光が加われば、一石三鳥の事業となる。【００２２】通常は海底にあるので、海の景観を損なわない。【００２３】折りたためば、何度でも使える。
【発明の効果】
【００２４】災害発生時、できるだけ、大きな堤防を作ることで、洪水や津波に抵抗して、被害を小さくすることができる。
【図面の簡単な説明】
【００２５】
【図１】第１手段における簡易堤防の断面図
【図２】第２手段における通常時のイメージ図で、図５のＡ−Ａ断面図
【図３】第２手段における構造物が広がるイメージ図で、図５のＢ−Ｂ断面図
【図４】第２手段における、津波が来た時のイメージ図で、図５のＡ−Ａ断面図
【図５】第２手段における簡易堤防を３つ、湾の入口に並べた時のイメージ図
【発明を実施するための形態】
【００２６】地震発生で、折りたたまれていた構造物は、自動で解除され、縦に広がる。
【００２７】発泡スチロールの浮力によって、海中を上昇すると伴に取水口から海水が流入していく
【００２８】発泡スチロールは、常に、海中面に浮くので、津波接近によるい海水面上昇に伴って、構造物は水を貯め込み、縦に広がる。
【００２９】津波が引いた後には、高さ５０ｍの水の堤防が残る。
【００３０】そして、次の津波を受け止め、抵抗する。を繰り返す。
【図１】
2014122532.tif 000003
【図２】
2014122532.tif 000004
【図３】
2014122532.tif 000005
【図４】
2014122532.tif 000006
【図５】
2014122532.tif 000007
(57)【要約】【課題】磁気浮上により水平軸の回転を容易にして、台座  上も回転させ、風向に無関係で、磁気浮上により摩擦が減少し、回転しやすい水平軸風車を提供する。【解決手段】水平軸の永久磁石（１０）と（１１）を台座（上）に取り付けた永久磁石（７）（８）を同極に取り付け磁気拳上させ、更に、永久磁石（２）（５）を台座（上）（６）と台座（下）（１）に取り付け、磁気浮上により風向に関係なく、回転させることを特徴とする。【選択図】図３
2014122610.tif 000002
【特許請求の範囲】
【請求項１】
水平軸に取り付けた永久磁石（１０）（１１）を、台座（上）に取り付けた同極の永久磁石（７）（８）をＶ字型にひらいて、回転軸（１２）を磁気浮上させ、更に、台座（上）（６）も永久磁石（２）（５）で磁気浮上させ、風向に関係なく回転する水平軸風車。
【発明の詳細な説明】
【技術分野】
【０００１】この発明は、磁気浮上による回転を容易にした水平軸風車に関するものである。
【背景技術】
【０００２】一般に、水平軸風車には軸重量により重力が懸り、摩擦の力が大きい。
更に、固定型であり、風向にも左右される。
【先行技術文献】
【特許文献】
【０００３】
【特許文献１】
【発明の概要】
【発明が解決しようとする課題】
【０００４】水平軸風車の重力の影響を磁気浮上によって、重力の影響を排除し、更に、三角尾翼を付けた風車そのものを、別の磁気浮上によって拳上させ、風向に関係なく回転させ、本発明は以上の欠点をなくす為になされたものである。
【課題を解決するための手段】
【０００５】２個の永久磁石（１０）（１１）と回転翼（１３）を，回転軸（１２）に取り付け固定し、各々に２個の永久磁石（７）（８）をＶ字に組合わせて、同極同士で磁気浮上させ、三角翼（１４）を取り付けた台座（上）（６）に取り付ける。更に、台座（上）（６）を同極の永久磁石（２）（５）同士で対面させた台座（下）（１）で浮上させ、回転を可能にする。この為、回転が滑らかになり、又、風向にも無関係で、本発明は、以上のような欠点をなくす為なされたものである。
【発明の効果】
【０００６】（イ）  水平軸は、磁気浮上により、回転が容易に得られる。
（ロ）  台座に取り付けた三角翼で、風向とは無関係となる。
（ハ）  永久磁石によるＶ字は、可変可能である。
【図面の簡単な説明】
【０００７】
【図１】  本発明の右側面図である。
【図２】  本発明の正面図である。
【図３】  本発明の背面斜視図である。
【図４】  本発明の台座（１）と（６）の右側面図である。
【図５】  本発明の台座（６）と水平軸の平面図である。
【図６】  本発明の水平軸の図である。
【図７】  本発明の台座（６）の平面図である。
【発明を実施するための形態】
【０００８】以下、本発明を実施するための形態について説明する。
２個の永久磁石（７）（８）をＶ字型に開き、台座（上）（６）に固定し、永久磁石（７）と（８）に対して、極を同じにした２本の永久磁石（１０）（１１）と、回転翼（１４）を取りつけた回転軸（１２）を磁気浮上させ、更に、台座（上）（６）には三角翼（１４）を取り付ける。又、台座（上）（６）には、下面に永久磁石（５）を取り付け  台座（下）（１）には、上面に同極の永久磁石（２）を取り付け浮上させる。
【符号の説明】
【０００９】  １    台座（下）
２    永久磁石
３    台座垂直軸
４    台座回転軸
５    永久磁石
６    台座（上）
７    永久磁石
８    永久磁石
９    水平軸受け
１０    永久磁石
１１    永久磁石
１２    水平軸
１３    プロペラ
１４    三角翼
【図１】
2014122610.tif 000003
【図２】
2014122610.tif 000004
【図３】
2014122610.tif 000005
【図４】
2014122610.tif 000006
【図５】
2014122610.tif 000007
【図６】
2014122610.tif 000008
【図７】
2014122610.tif 000009
(57)【要約】      （修正有）【課題】高効率の内燃機関を提供する。【解決手段】吸気用ポンプ３とロータリー機関８を設け、吸気用ポンプ３とロータリー機関８の回転軸２の間に動力伝達装置７を設け、その吸気用ポンプ３とロータリー機関８との間の閉区間気体移動部分に燃焼室４を設け、燃焼室４に燃料噴射口５と点火装置６とを設けたロータリー機関利用の閉区間連続燃焼型内燃機関である。外部動力によって始動すると、吸気用ポンプ３により燃焼室４へ給気、圧縮を行って燃料噴射口５より燃料を燃焼室４へ噴射し、点火装置６によって燃焼を行い、その熱膨張によってロータリー機関８を回転して動力を得ることができる。【選択図】図１
2014040824.tif 000002
【特許請求の範囲】
【請求項１】
吸気・圧縮用回転型ポンプと出力用ロータリー機関を動力伝達装置で連結し、燃焼室は、吸気・圧縮用回転型ポンプと出力用ロータリー機関を接続する配管部分とするロータリー機関利用の閉区間連続燃焼型内燃機関。
【発明の詳細な説明】
【技術分野】
【０００１】  本発明は、高効率の内燃機関に関するものである。
【背景技術】
【０００２】  従来の連続燃焼型内燃機関は、ガスタービンエンジンのように開放式燃焼型内燃機関であった。
【発明の開示】
【０００３】そのために、次のような問題点があった。
（イ）中低速回転時の燃焼効率が低い。
（ロ）中低速回転時の出力の取り出しに困難である。
（ハ）連続燃焼型内燃機関は、ガスタービンエンジンのように熱対策での製品コストが高額となる。
（ニ）出力回転数の制御の応答が悪い。
本発明は、これらの問題点を解決するためになされたものである。
【課題を解決するための手段】
【０００４】  吸気用ポンプとロータリー機関を設け、吸気用ポンプとロータリー機関の回転軸の間に動力伝達装置を設ける。その吸気用ポンプとロータリー機関との気体移動部分に燃焼室を設ける。以上を特徴とするロータリー機関利用の閉区間連続燃焼型内燃機関である。
【発明の効果】
【０００５】  低コストで燃焼効率が良く、容易に出力可変できる連続燃焼型内燃機関である。
【発明を実施するための最良の形態】
【０００６】  以下、本発明の実施形態について説明する。
（イ）  吸気用ポンプ（１）とロータリー機関（６）を設け、吸気用ポンプとロータリー機関の回転軸の間に動力伝達装置（５）を設ける。
（ロ）  吸気用ポンプとロータリー機関との間の閉区間気体移動部分に燃焼室（２）を設ける。
（ハ）  燃焼室（２）に燃料噴射口（３）を設け、その近傍に点火装置（４）を設ける。
本発明は以上のような構成になっている。これを使用するときは、外部動力によって始動すると吸気用ポンプ（１）により燃焼室（２）へ給気、圧縮を行って燃料噴射口（３）より燃料を燃焼室（２）へ噴射し、点火装置（４）によって燃焼を行い、その熱膨張によってロータリー機関（６）を回転して動力を得ることができる。
本発明の使用形態は、燃焼室（２）の形状の変更、動力伝達装置（５）の変速比の増減、吸気用ポンプ（１）の吸気量の増減等の変更によって利用状況に合わせた機関を供給することができる。
【図面の簡単な説明】
【０００７】
【図１】  本発明の基本構成図
【符号の説明】
【０００８】１  吸気口
２  シャフト
３  吸気用ポンプ
４  燃焼室
５  燃料噴射口
６  点火装置
７  動力伝達装置
８  ロータリー機関
９  排気口
【図１】
2014040824.tif 000003
(57)【要約】【課題】化学合成料で作くる練り歯磨及びデンタルリンスは身体に良いはずがない。でも主流である。【解決の手段】納豆菌と納豆成分で練り歯磨とデンタルリンスを作くる。食品が主体で安全。【特許請求の範囲】
【請求項１】
納豆成分が歯の汚れを取り去るを発見、この力を利用した、納豆菌及び納豆成分で作る練歯磨。
【請求項２】
納豆成分が歯の汚れを取り去るを発見この力を利用した納豆菌及び納豆成分で作る、デンタルリンス。
【発明の詳細な説明】
【技術分野】
【０００１】本発明は歯と口腔の清掃に関する事で納豆成分で歯と口腔の汚れを取り去る。
【背景技術】
【０００２】従来から化学合成成分で練歯磨、デンタルリンスを作つていた。
【発明の開示】
【発明が解決しようとする課題】
【０００３】しかし従来のように化学合成成分が主流での口腔ケアーであった。自然成分の納豆成分は歯や口腔に優しく清掃する事が出来る又子供が食べても安全である。
【課題を解決しようとする課題】
【０００４】この課題を解決しようとするための請求項１の発明は納豆成分が歯の汚れ取り去るを発見この力を利用した練歯磨
【０００５】請求項２の発明は納豆パワーで歯と口腔の汚れを除去するデンタルリンス。
【発明の効果】
【０００６】本発明により子供が歯磨を食べても、主成分が納豆である。
安心の出来る練歯磨とデンタルリンスが生れた。
【作用実施例】
【０００７】食塩と納豆をすり合せ、粉寒天を水でたき、荒熱を取り、練り合せ、チューブにつめ納豆練り歯磨と成る。
【０００８】アルコール、水、すり合せ納豆をかくはんしボトルにつめデンタルリンスが生れる。
【産業上の利用可能性】
【０００９】本発明の係る納豆成分、練歯磨とデンタルリンスは工業的に量産する事が可能で産業上の利用可能性を有する。
【図面範単な説明】
【００１０】無し
(57)【要約】【目的】折りたたみが出来、保冷力が発泡スチロール箱（厚み１５ｍｍ）とほぼ同等の従来にない袋です。【選択図】図１
2014040271.tif 000002
【特許請求の範囲】
発泡シートで袋状の物１を作り底の部分を角底に加工４にして、その外側に気泡シートで袋状にした物２を取りつけ、底を角底に加工５にし、さらにその外側に発泡シートで袋状にした物３を取りつけ、底を角底に加工６にする。つまり気泡シートの袋を発泡シートの袋で内側と外側から、はさみ込んだ３重構造の袋７を作り、保冷袋及び保温袋として使用する。又この３重の袋を作る場合、外側か内側の発泡シートの袋と気泡シート袋を、先に取りつけておき、２袋まとめて底を角底に加工する場合もあります。
【発明の詳細な説明】
【発明の詳細な説明】
この発明した袋は従来の発泡スチロール箱を切り替える物です。この３重構造にすることにより厚み１５ｍｍの発泡スチロール箱とほぼ同等の保冷力が生まれました。さらに折りたためる事で置き場スペースを取りません。
【図面の簡単な説明】
【図１】保冷及び保温袋の構造見取り図です
【符号の説明】１    発泡シートの内袋
２    気泡シートの袋
３    発泡シートの外袋
４    発泡シートの内袋を角底にした物
５    気泡シートの袋を角底にした物
６    発泡シートの外袋を角底にした物
７    ３重構造の保冷及び保温袋
【図１】
2014040271.tif 000003
(57)【要約】【課題】波浪衝撃を良好に緩和すると共に、作りやすく、且つ、取り付けが容易であり、且つ、所望位置への取り付けが可能な突起部を備えた船首構造を提供する。【解決手段】船首部２の外板に設けた半球状の突起部３により、波浪衝撃を良好に分散して緩和する。そして、このように波浪衝撃を緩和する突起部３を半球状とすることで、簡易な形状とし、作りやすくする。また、このような半球状の突起部３を複数備えることで、突起部３それぞれを小さくでき、作りやすく且つ船首部２の外板への取り付けを容易とする。また、このように突起部３を小さくできることから、船首部２の外板の所望位置への取り付けを可能とする。【選択図】図３
2014040202.tif 000002
【特許請求の範囲】
【請求項１】
船首部の外板に、半球状の突起部を複数備えることを特徴とする船首構造。
【請求項２】
前記突起部は、中実体であることを特徴とする請求項１記載の船首構造。
【発明の詳細な説明】
【技術分野】
【０００１】
本発明は、船首構造に関する。
【背景技術】
【０００２】
従来、船舶の波浪衝撃を緩和する構造として、船体の船首部の外板に突起体を突設したものが知られている（例えば、特許文献１参照）。この突起体は、船首部の左右舷において前方側から後方側へ向けて、断面三角形状が徐々に縮小していく長尺な三角錐形状を成すように設けられ、このような三角錐形状により推進抵抗を低減しながら波浪衝撃を緩和するというものである。
【先行技術文献】
【特許文献】
【０００３】
【特許文献１】実開昭６０−１８９４８６号公報
【発明の概要】
【発明が解決しようとする課題】
【０００４】
しかしながら、上記突起体にあっては以下の問題がある。すなわち、断面三角形状が徐々に縮小していく三角錐形状というように複雑な形状のため、作り難い。また、長尺なため、作り難く且つ船首部の外板に取り付け難い。また、このように長尺で複雑な形状のため、例えば船首部の先端部（正面）等への取り付けは困難で、所望位置に取り付けができない場合がある。
【０００５】
本発明は、このような課題を解決するために成されたものであり、波浪衝撃を良好に緩和できると共に、作りやすく、且つ、取り付けが容易であり、且つ、所望位置への取り付けが可能な突起部を備えた船首構造を提供することを目的とする。
【課題を解決するための手段】
【０００６】
本発明による船首構造は、船首部の外板に、半球状の突起部を複数備えることを特徴としている。
【０００７】
このような船首構造によれば、波浪衝撃は、船首部の外板に設けられた半球状の突起部により良好に分散されて緩和される。このように波浪衝撃を緩和する突起部が半球状とされているため、簡易な形状であり、作りやすい。また、このような半球状の突起部を複数備えるため、突起部それぞれを小さくでき、作りやすく且つ船首部の外板への取り付けが容易である。また、このように突起部を小さくできるため、船首部の外板の所望位置へ取り付けることができる。
【０００８】
ここで、突起部は、中実体であるのが好ましい。このような構成を採用した場合、中実体は剛性が高く、波浪衝撃に対して変形し難く損傷し難い。
【発明の効果】
【０００９】
このような本発明によれば、波浪衝撃を良好に緩和できると共に、作りやすく、且つ、取り付けが容易であり、且つ、所望位置への取り付けが可能な突起部を備えた船首構造を提供できる。
【図面の簡単な説明】
【００１０】
【図１】本発明の実施形態に係る船首構造を備えた船体を示す側面図である。
【図２】図１中の突起部の適用範囲を示すための船体の平面図である。
【図３】図１中の船首部を拡大して示す斜視図である。
【図４】図１及び図３中の突起部を拡大して示す断面図である。
【発明を実施するための形態】
【００１１】
以下、本発明による船首構造の好適な実施形態について図面を参照しながら説明する。図１は、本発明の実施形態に係る船首構造を備えた船体を示す側面図、図２は、突起部の適用範囲を示すための船体の平面図、図３は、船首部の拡大斜視図、図４は、突起部の拡大断面図である。
【００１２】
本実施形態の船首構造は、船舶の航行時等に、船体１の船首部２（図１及び図２参照）が受ける波浪衝撃を緩和するためのものであり、図１、図３及び図４に示すように、半球状の突起部３を複数備えることを特徴とするものである。
【００１３】
半球状の突起部３は、ここでは直径５０ｃｍ程度の中実体とされ（図４参照）、船首部２（図１及び図２に示す範囲Ｓ参照）の外板に、例えば溶接等により取り付けられている。突起部３は、ここでは、特に好ましいとして、船首部２の先端部（正面）を含む前側の外板に設けられているが、船首部２（範囲Ｓ）であればどこでも設けることができる。また、突起部３は、波浪衝撃を受けやすい範囲、具体的には、水面ＷＬ辺りから上側の範囲に設けられている。
【００１４】
このような本実施形態の船首構造によれば、図４に矢印で示す波浪衝撃は、船首部２の外板を直接叩くことなく、半球状の突起部３に衝突し良好に分散されて緩和される。そして、このように波浪衝撃を緩和する突起部３が半球状とされているため、簡易な形状であり、作りやすくなっている。また、このような半球状の突起部３が複数（多数）設けられているため、突起部３それぞれを小さくでき、作りやすく且つ取り付けが容易である。また、このように突起部３を小さくできることから、例えば船首部２の先端部（正面）等を始めとした所望位置（狙ったところ）へ取り付けることができる。
【００１５】
また、本実施形態では、突起部３が中実体であるため、剛性が高く、波浪衝撃に対して変形し難く損傷し難いという利点がある。
【００１６】
以上、本発明をその実施形態に基づき具体的に説明したが、本発明は上記実施形態に限定されるものではなく、例えば、上記実施形態においては、突起部３を中実体としているが、中空体としても良い。この場合は、例えば鉄板等を半球状に曲げ、船首部２の外板に例えば溶接等で取り付けるのが好ましい。そして、このような中空の半球状の突起部は、中実の場合に比して軽量のため、取り扱い性が良く、船首部２の外板に取り付けやすいという利点がある。
【符号の説明】
【００１７】
１…船体、２…船首部、３…突起部、Ｓ…船首部範囲、ＷＬ…水面。
【図１】
2014040202.tif 000003
【図２】
2014040202.tif 000004
【図３】
2014040202.tif 000005
【図４】
2014040202.tif 000006
(57)【要約】      （修正有）【課題】握り玉錠やレバーハンドル錠の取り付け凹部や孔を生かして交換できるロック機構を備えたプッシュプル錠を提供する。【解決手段】ハンドル３，４の進退により回動駆動される解錠カム５，６によりがスライドラッチ１が後退して解錠するプッシュプル錠において、解錠カム５，６に重なるように配置され、一端にロックツマミ１０を、他端に表示板１１を、またロックツマミ１０が押し込まれた時にスライドラッチ１の後端に位置するロック部１２を有する作動棹７を配置した。【選択図】図１
2014040756.tif 000002
【特許請求の範囲】
【請求項１】
ハンドルの進退により回動駆動される解錠カムによりがスライドラッチが後退して解錠するプッシュプル錠において、
前記解錠カムに重なるように配置され、一端にロックツマミを、他端に表示板をまた前記ロックツマミが押し込まれた時に前記スライドラッチの後端に位置するロック部を有する作動棹を配置してなるプッシュプル錠。
【発明の詳細な説明】
【技術分野】
【０００１】
本発明は、扉を開放する方向にレバーを押し込み操作、または引き寄せ操作することによりスライドラッチを開錠できるプッシュプル錠に関する。
【背景技術】
【０００２】
営繕業界からは握り玉錠やレバーハンドル錠の交換用としてプッシュプル錠を元の錠取り付け凹部や穿孔を生かして交換できることが要望されている。
このようなものとして特許文献１に見られるようなプッシュプル錠を提案したが、これには施錠機構がなかった。
【先行技術文献】
【特許文献】
【０００３】
【特許文献１】特開２０１１−９４３９７
【発明の概要】
【発明が解決しようとする課題】
【０００４】
本発明はこのような問題に鑑みてなされたものであって、その目的とするところは、握り玉錠やレバーハンドル錠の取り付け凹部や穿孔を生かして交換できるロック機構を備えたプッシュプル錠を提供することである。
【課題を解決するための手段】
【０００５】
このような課題を達成するために本発明においてはハンドルの進退により回動駆動される解錠カムによりがスライドラッチが後退して解錠するプッシュプル錠において、前記解錠カムに重なるように配置され、一端にロックツマミを、他端に表示板をまた前記ロックツマミが押し込まれた時に前記スライドラッチの後端に位置するロック部を有する作動棹を配置するようにした。
【発明の効果】
【０００６】
本発明によれば、スライドラッチの移動を拘束するロック機構を解錠機構と同一のエリアに組み込むまれているので、握り玉錠やレバーハンドル錠の取り付け凹部や穿孔を生かして交換することができる。
【図面の簡単な説明】
【０００７】
【図１】本発明のプッシュプル錠の概要を示す斜視図、及び施錠機構を示す斜視図である。
【図２】本発明のプッシュプル錠の施錠機構を示す斜視図である。
【図３】本発明のプッシュプル錠の一実施例を示す縦断面図である。
【図４】本発明のプッシュプル錠の一実施例を示す縦断面図である。
【図５】本発明のプッシュプル錠のロック時の状態を示す斜視図である。
【発明を実施するための形態】
【０００８】
そこで以下に本発明の詳細を図示した実施例に基づいて以下に説明する。
図１、２は本発明のプッシュプル錠の概要、及び施錠機構の一実施例を示すものであり、また図３，４は本発明の実施例を示すものであって、特許文献１に記載されたような構造を有するプッシュプル錠のスライドラッチ１の後端部には窓２が形成されていて、ここには扉の表裏に位置するハンドル３、４の進退により回動駆動される解錠カム５、６がロック機構の作動棹７を挟むように挿入されている。
【０００９】
解錠カム５，６は、周知のようにその後端がハンドル３，４の進退を回動運動に変換する機構８，９を介して連結され、その先端が回動してスライドラッチ１を後退させる。
【００１０】
一方、ロック機構を構成する作動棹７は、一端にロックツマミ１０、他端に表示板１１、及びロックツマミ１０が押し込まれた時にスライドラッチ１の窓２に対向する領域にスライドラッチ１の後端に位置するロック部１２が形成されている。
【００１１】
この実施例において、ドアＤに取り付けてドアＤを閉めると、スライドラッチ１が柱Ｐのラッチ受け１３に進入して施錠される。
【００１２】
ロックしたい場合には取付座１４近傍のロックツマミ１０をドアＤの側に押し込むと、作動棹７が移動してロック部１２がスライドラッチ１の後端部に位置する。  これにより、スライドラッチ１は、ロック部１２に拘束されてハンドル３，４の操作に関わりなく移動が不可能となる。またこの状態では図５に示したようにハンドル３の他端の表示板が取付座１３から露出して、他者に現在、ドアがロック状態であることを示す。
【００１３】
なお、ロックを解除する場合にはロックツマミ１０をレバ４側に引くと、ロック部１２がスライドラッチ１の後端部から抜けてロックが解ける。同時に表示板１１が取付座１３に隠れる。
【００１４】
以上、説明したように本発明によればスライドラッチを移動させる解錠カム５、６とロック部１２を操作する作動棹７とを重なるように配置したので、握り玉錠やレバーハンドル錠の取り付け凹部や穿孔を生かして交換さえできるなら、ロック機構を有するプッシュプル錠に交換できる。
【符号の説明】
【００１５】
１  スライドラッチ    ２  窓    ３，４  ハンドル    ５，６  解錠カム    ７  作動棹      ８，９  運動変換機構    １０  ロックツマミ    １１  表示板    １２  ロック部
【図１】
2014040756.tif 000003
【図２】
2014040756.tif 000004
【図３】
2014040756.tif 000005
【図４】
2014040756.tif 000006
【図５】
2014040756.tif 000007
(57)【要約】【課題】簡単な構造でラッチ調整片の位置を確実に保持できるドアラッチの受け部材を提供すること。【解決手段】ラッチ調整片２を移動可能に収容するとともに受け金具１に係合する取り付けボックス４の底部に斜めの溝４ａを形成し、溝４ａの相対向する２つの側壁４ｂに偏心軸３ａを有する円板３を移動可能にその周面３ｂを嵌合させ、偏心軸３ａにラッチ調整片２を係合させて取付ボックス４と受け金具１とを一体化させる。【選択図】図２
2014040755.tif 000002
【特許請求の範囲】
【請求項１】
ラッチ調整片を移動可能に収容するとともに受け金具に係合する取り付けボックスの底部に斜めの溝を形成し、前記溝の相対向する２つの側壁に偏心軸を有する円板を移動可能にその周面を嵌合させ、前記偏心軸に前記ラッチ調整片を係合させて前記取付ボックスと前記受け金具とを一体化させてなるドアラッチの受け部材。
【請求項２】
前記溝の少なくとも一方の側壁に鋸歯状の凹凸が形成されている請求項１に記載のドアラッチの受け部材。
【発明の詳細な説明】
【技術分野】
【０００１】
本発明は、ドアのガタツキ防止機構を備えたドアラッチの受け部材に関する。
【背景技術】
【０００２】
ドアの錠前ラッチをドア閉鎖時にドアとのガタツキを防止したり、スムーズにラッチを進入をさせるためのドアラッチの受け部材は、例えば特許文献１に見られるように周面が板金のケースの内壁に摩擦係合する円板の偏心軸にラッチ調整片を係合させ、この円板を移動させて調整片を平行移動させるように構成されていた。
【０００３】
しかしながらケースの変形等により容易に摩擦力が低下してラッチ調整片の位置が移動するという問題があった。
【先行技術文献】
【特許文献】
【０００４】
【特許文献１】実開平８−１２９１号公報
【発明の概要】
【発明が解決しようとする課題】
【０００５】
本発明はこのような問題に鑑みてなされたものであって、その目的とするところは、簡単な構造でラッチ調整片の位置を確実に保持できるドアラッチの受け部材を提供することである。
【課題を解決するための手段】
【０００６】
このような課題を達成するために本発明は、ラッチ調整片を移動可能に収容するとともに受け金具に係合する取り付けボックスの底部に斜めの溝を形成し、前記溝の相対向する２つの側壁に偏心軸を有する円板を移動可能にその周面を嵌合させ、前記偏心軸に前記ラッチ調整片を係合させて前記取付ボックスと前記受け金具とを一体化させるようにした。
【発明の効果】
【０００７】
偏心軸を回動することによりラッチ調整片を水平方向に移動させてその位置を調整することができ、また偏心軸を有する円板が周面を溝の壁に挟まれているため、強い摩擦力で保持されることになり、調整後の位置を保持することが可能となる。
【図面の簡単な説明】
【０００８】
【図１】本発明のドアラッチの受け部材を示す正面図である。
【図２】本発明のドアラッチの受け部材を示す組立斜視図である。
【図３】図（ａ）〜（ｃ）は、それぞれ本発明のドアラッチの受け部材を示す断面図と正面図である。
【図４】本発明のドアラッチの受け部材他の実施例を取り付けボックスの溝の構造で示す正面図である。
【発明を実施するための形態】
【０００９】
図１、２は、本発明のドアーラッチの受け部材の一実施例を示すものであって、受け金具１のラッチ進入口１ａにはラッチ調整片２が円板３の偏心軸３ａの操作により取り付けボックス４の凹部４ｅにその翼部２ｂがガイドされるように水平方向に平行移動可能に装
着されている。
【００１０】
円板３は、その周壁３ｂが取り付けボックス４の底部に形成された傾斜溝４ａの相対向する側壁４ｂに移動可能に嵌合されて取り付けボックス４に収容されている。
取り付けボックス４は、このましくはダイキャスト等の剛性を容易に確保できる製法で制作するのが望ましい。
【００１１】
ラッチ調整片２は、その貫通孔２ａに円板３の偏心軸３ａを係合さられた上で、その翼部２ｂを取り付けボックス４の凹部４ｅに係合させられ、受け金具１のラッチラッチ進入口１ａに位置合わせられて、組み立てカシメ用折り曲げ片１ｂを組立孔４ｆに挿入の上、カシメ用折り曲げ片１ｂの先端を折り曲げて受け金具１と取り付けボックス４とに一体に組み付けられている。
【００１２】
ところで前記傾斜溝４ａの傾斜は、円板３の偏心軸３ａの偏心度の合いに対応して決められており、またラッチ調整片２がその翼部２ｂを取り付けボックス４の凹部４ｅにガイドされるため、偏心軸３ａの回動によりラッチ調整片２をスムーズに水平方向に移動させることができる。
【００１３】
この実施例において、偏心軸３ａをねじ回しのような工具で回動させると、円板３は、傾斜溝４ａの側壁４ｂとの間の摩擦により傾斜溝４ａの傾斜方向に移動する。
これにより回動軸３ａに係合しているラッチ調整片２もその翼部２ｂが取り付けボックス４の凹部４ｅに案内されて水平に移動する。
これにより、ラッチ調整片２をラッチがガタつかない位置に容易に調整することができる。
【００１４】
この実施例によれば、円板３の周面３ｂが傾斜溝４ａの側壁４ｂに挟まれているため、円板３が強い摩擦力で保持されるため、ラッチ調整片２を所定の位置に強固に保持できる。
【００１５】
なお、上述の実施例においては傾斜溝４ａの側壁４ｂを平面としたが、図４に示したように少なくとも一方の側壁４ｂ'に鋸歯状の凹凸を形成すると、カム３の周壁と強い摩擦力で係合させてラッチ調整片の勝手な移動を可及的に防止できる。
【符号の説明】
【００１６】
１    受け金具    １ａ  ラッチ進入口    ２  ラッチ調整片    ３  円板    ３ａ    偏心軸    ４  取り付けボックス    ４ａ  傾斜溝    ４ｂ  側壁
【図１】
2014040755.tif 000003
【図２】
2014040755.tif 000004
【図３】
2014040755.tif 000005
【図４】
2014040755.tif 000006
(57)【要約】【課題】  傷口に有効な素材であるシルクの絆創膏に使用するという課題。【解決手段】  残留農薬を含まないという証明の裏付けを持つシルクを傷口接触部に設置することで解決でき、シルクの持つ治癒に対する有効性を活かす。【選択図】図２
2014042776.tif 000002
【特許請求の範囲】
【請求項１】
医療機器の認可取得済のシルクを、傷接触面とした絆創膏。
【発明の詳細な説明】
【技術分野】
【０００１】  医療用の絆創膏構造に関する
【背景技術】
【０００２】  従来の絆創膏はほとんどが綿を傷接触面に使用している。【０００３】  シルク自身が持つといわれる治癒効果を活用する方法を利用する。
【発明の概要】
【発明が解決しようとする課題】
【０００４】  シルクは傷に有効な素材であるが、自然素材のため残留農薬等が含まれる可能性が否定できない。そこで、これらの不安を取り除くため、残留農薬等が含まれないことが裏づけられるシルクが必要となる。
【課題を解決するための手段】
【０００５】  公的な機関が医療機器として認可したシルク素材だけを用いることで、これらの不安に対処する。
【図面の簡単な説明】
【０００６】
【図１】は絆創膏の全体像を上面から見た図である。
【図２】は絆創膏の全体像を下面から見た図である。
【図３】は絆創膏と傷に触れるシルク部を分割した時の図である。
【符号の説明】
【０００７】  １．  絆創膏接着部
２．  傷口接着部
【発明を実施するための形態】
【０００８】    傷口保護のために１絆創膏接着部に２シルク部分を装着して治癒の促進を図る。
【実施例】
【０００９】    図１のような接着剤付絆創膏の２傷口接着部に通常のコットンを用いず、シルクを用いることにより、シルクが持っている傷口に有効な成分で治癒を促進させる。【００１０】    図３のように１絆創膏接着部をメッシュ状にして通気性の向上を図る。【００１１】    図２ようにシルクが使用される２傷口接着部の絆創膏全体の中央に設置することが重要である。
【図１】
2014042776.tif 000003
【図２】
2014042776.tif 000004
【図３】
2014042776.tif 000005
(57)【要約】      （修正有）【課題】カッティング加工されたジュエリーをフラットな人工爪の土台にそのまま接着することによる、定着性が不十分であることや、ずれや剥離が発生するといった欠点をなくす方法を提供する。【解決手段】人工爪１の上から専用ドリル２で穴をあけ、ジュエリー３を埋め込み、さらにコーティングを行う。【選択図】図１
2014042779.tif 000002
【特許請求の範囲】
【発明の詳細な説明】
【技術分野】
【０００１】  この発明は、カッティング加工されたジュエリーを、爪に装着した人工爪に専用ドリルで穴をあけ、熟練された技術で埋め込み、コーティングにより仕上げる方法である。
【背景技術】
【０００２】  従来、カッティング加工されたジュエリーをフラットな人工爪の土台にそのまま接着していた。
【先行技術文献】
【特許文献】
【０００３】
【発明の概要】
【発明が解決しようとする課題】
【０００４】  これは次のような欠点があった。
従来、カッティング加工されたジュエリーをフラットな人工爪の土台にそのまま接着していたため、定着性が不十分で、ずれや剥離が発生していた。
本発明は以上のような欠点をなくすためになされたものである。
【課題を解決するための手段】
【０００５】  人工爪（１）の上から専用ドリル（２）で穴をあけ、ジュエリー（３）を埋め込み、さらにコーティングを行い、サイズに応じた熟練された技術により仕上げる方法。
本発明は以上の構成によりなる技術である。
【発明の効果】
【０００６】  人工爪に穴をあけてジュエリーを埋め込み、さらにその上からコーティングを行うことにより十分な定着性が確保でき、ずれや剥離もなく、ネイルアートを楽しむことができる。
【図面の簡単な説明】
【０００７】
【図１】本発明の正面図である。
【発明を実施するための形態】
【０００８】  以下、本発明を実施するための形態について説明する。
人工爪（１）の上から専用ドリル（２）で穴をあけ、ジュエリー（３）を埋め込み、さらにコーティングを行う。
本発明は以上のような構造である。
人工爪の中にカッティングされたジュエリーをフラットに埋め込ことによりずれや剥離もなく、ネイルアートを楽しむことができる。
【符号の説明】
【０００９】  １  人工爪
２  専用ドリル
３  ジュエリー
【図１】
2014042779.tif 000003
【手続補正書】
【提出日】平成24年10月26日(2012.10.26)
【手続補正１】
【補正対象書類名】特許請求の範囲
【補正対象項目名】全文
【補正方法】追加
【補正の内容】
【特許請求の範囲】
【請求項１】
カッティング加工されたジュエリーを、十分な定着性を得るため、爪に装着した人工爪に穴をあけて埋め込み、コーティングにより仕上げる方法である。